(57)【要約】【課題】従来の動力源は、燃料を使用するものは、燃料資源の消費及び排気による環境汚染、電気を使用するものは、配電または電池、蓄電池が必要となり、両者共に燃料、電気を常に供給する必要がある。自然エネルギーを使用するものは、環境や気象条件によって左右され、安定した動力源の供給という面で難しい問題を抱えている。【解決の手段】どこでも安定したエネルギー源として重りの重力落下や浮子による浮力を使うことで、資源の消費、環境汚染が無く、安定した出力を得ることができる。【選択図】図１０
2009270555.tif 000002
【特許請求の範囲】
【請求項１】
通常、重さを量るために使われる天秤を不平衡状態のまま回転可能な構造とした構造体。
【請求項２】
請求項１の不平衡状態で回転可能な構造体に、重り又は、浮子を取り付けることにより重力、浮力を利用して回転させ回転力を動力として取り出せるようにした動力源。
【発明の詳細な説明】
【技術分野】
【０００１】地球引力又は、液体中での浮力を利用した動力源に関する。
【背景技術】
【０００２】  本発明は、物理現象の思考実験用に作成したメモが発端となっている。【０００３】  よって明確な背景技術としては無く、その後、同様な物が無いかをインターネットで調べた結果、本発明品に類似する発明品として１７１７年オルフィレウスの永久運動機械といわれるものがあったという文献をインターネット上で検索したが、機構、動作原理が公開されておらず、資料も無いため本発明品との相違点は不明。
【非特許文献１】「インターネットアドレス」ｈｔｔｐ：／／ｘ５１．ｏｒｇ／ｘ／０４／０４／１３０２．ｐｈｐ
【発明の開示】
【発明が解決しようとする課題】
【０００４】  従来の動力源のほとんどは、電気、燃料などを消費し、燃料を使うものは資源の消費、環境汚染を引き起こす一因となっている。【０００５】  また、資源の消費、環境破壊を起こさない動力として、水力、風力、太陽熱、太陽光、等を利用したものが従来使われてきたが、状況により動作が変化し安定した出力が得られない。
【課題を解決する為の手段】
【０００６】  不平衡状態のまま回転する天秤の構造体を作り、同じ重さの重りを付けることで地球引力による重力で回転を得られるようにした。
【０００７】  これにより、重りを上げるときのエネルギーが回転軸を中心とした向かい合う重りの回転軸からの距離の比で割った重量で回転し、残ったエネルギーを外部に取り出す事が可能になる。
【０００８】  また、重りを液体よりも比重の軽い浮子に変え液体中で同様の回転、動力として使うことができる。
【発明の効果】
【０００９】  重力を使い動力とすることで、電気、燃料の消費が無く資源の消費、環境破壊の無い動力源として使うことができる。
【００１０】  自然エネルギーとしても地球引力による重力又は、液体中では比重の差による浮力を利用できるため、常に安定した動力源として提供できる。
【発明の実施する為の最良の形態】
【００１１】  以下、本発明の実施の形態を図１〜図基づいて説明する。
【００１２】  図１は本発明の主要部品の一つ、重り軸３と重り４の関係を説明するために他の部品を取り去った状態の直線軌道板の図である。
【００１３】  直線軌道板１には、回転軸２の中心から４分割した９０度の線７に長穴６が明けてあり、ここに重り軸３と重り４を組とする重りブロックか各穴に一組づつ入り９，８，４，１０、共に５の範囲を直線で移動できる。
【００１４】  図２は、図１の状態に回転軸２に対して水平方向に１２の距離、離れた位置１１を中心とした同心円の円形軌道溝１３があり重りブロック４、８、９，１０は共に、この円形軌道溝１３を通り、１１を中心に円形に移動します。この円形の円形軌道溝１３は、直線起動板１の回転に対して常に固定された位置にあります。
【００１５】  これまでの構成により、重りブロック４、８、９、１０は直線軌道板１の回転に対して、回転軸２を中心に回転するのではなく、回転軸２から１２の距離ずれた点１１を中心とした同心円を移動することになります。
【００１６】図３〜図８は、この構成で図３の位置を０度として、１５度毎に時計回りに回転させたときの直線軌道板１と円形軌道溝１３と重りブロック４組の相対位置関係を示す。
【００１７】  図３は０度の回転板１の回転角度のときの回転板と重りの相対位置の図で、図４は１５度回転したとき、図５は３０度、図６は４５度、図７は６０度、図８は７５度、回転したときの図であり、以後９０度回転したとき重りの相対位置は図３と同じになり、これを繰り返します。
【００１８】  回転方向は図３〜図８で示した通り、時計周りに回ります。この回転のときに、重要なのは、回転軸１からの各、重りブロックの距離で、重りブロックの上昇中は中心軸からずらした距離１２の分、内側１５を通り、下降中は距離１２の分外側１６を通ることです。この回転運動で、回転軸を天秤の支点として例えると、右側の重りは、左側の重りを、てこの原理で相対的に軽く上げる事ができるようになり、回転軸に対しての右側の距離と左側の重りの距離の差で３６０度、常に不平衡状態を保つ事になります。
【００１９】  以上が、回転したときの簡単な動作説明で、以降、動作時の力学的説明を進める上で各部分の寸法があると出力軸から取り出せる出力を簡略化し、説明を容易にかつ実際に取り出せる出力を計算できるとの判断で寸法を入れて、より詳しく説明します。
【００２０】  図９は、各部分の寸法取りを容易に説明できるように４５度回転した図６の点線部分の拡大図である。
【００２１】  設計の一例として、各部分の寸法は、回転軸中心２からの円形軌道溝１３の中心１１の距離を５０ｍｍ、円形軌道溝１３の半径１４を１５０ｍｍ、とした場合、これを１５度毎回転したときの回転軸１から各錘までの寸法を表１に示す。
【００２２】  ４組の重りは同じ重量の物を使うものを使い、対角にある重りの組は、天秤を形成するので、回転軸を始点として式１の公式になり、これに合わせ表１を表２のように計算すると、最終的な結果は、全角度で同じ値になります。
【００２３】  最終的には、距離１００ｍｍとなり、図１１のように回転軸２から水平に出した棒２２の先に一組の重り１０を付けた状態と同じとなり、この状態を全周において維持し回転を続けることになります。
【００２４】  また、この回転を釣り合い、止った状態にするためには、式２の重量２３が必要なので、この設計例の寸法で設計した場合は、回転軸の半径２１が５ｍｍで、一組の重り重量を１Ｋｇとした場合、釣り合わせるためには、軸に２０Ｋｇの重り２３を吊り下げる必要があります。よって、この重量よりも軽い負荷で重力が掛かる場所であれば、壊れるか、または消耗して負荷が大きくならない限り回転を続けることとなります、また始動するときに外部から力を掛ける必要もありません。
【００２５】  この回転自体は、液体中でも液体の流体抵抗がかかるとして、重力がある限り同様に回転します。また重力だけではなく、重りの代わりに気体を封入した浮子又は、液体よりも比重の軽い物を同様に取り付けても回転をします。しかし力の方向が重力では下方向に力が掛かりますが、浮力では上方向に力が掛かるため回転方向は逆になります。
【００２６】  本発明品は、さらに固定としていた円形軌道溝１３を回転軸方向に移動することで出力軸のトルクの可変も可能です。円形軌道中心１１が回転軸中心２の位置と同じになると出力０、これを越え反対側になると回転軸、回転方向が逆回転するようになります。
【図面の簡単な説明】
【００２７】
【図１】本発明の構成の一部、直線軌道板と一組の重り、重り軸
【図２】本発明の全構成、図１に円形軌道溝と３組の重り、重り軸を追加した図
【図３】直線軌道板の回転角度０度のときの図
【図４】同、回転角度１５度のときの図
【図５】同、回転角度３０度のときの図
【図６】同、回転角度４５度のときの図
【図７】同、回転角度６０度のときの図
【図８】同、回転角度７５度のときの図
【図９】図６点線部の拡大図
【図１０】回転角度１５度のときの全体拡大図
【図１１】計算結果による等価図
【表１】
設計例による回転角度１５度毎の回転軸から重りまでの距離の表
【表２】
表１の式１による計算結果
【式１】
回転軸から重りまでの合算式
【式２】
回転軸出力に釣り合う重量の計算式
【図１】
2009270555.tif 000003
【図２】
2009270555.tif 000004
【図３】
2009270555.tif 000005
【図４】
2009270555.tif 000006
【図５】
2009270555.tif 000007
【図６】
2009270555.tif 000008
【図７】
2009270555.tif 000009
【図８】
2009270555.tif 000010
【図９】
2009270555.tif 000011
【図１０】
2009270555.tif 000012
【図１１】
2009270555.tif 000013